(57)【要約】    【課題】  フィルタサインセンサによるフィルタ管理を行うとともに、定期清掃案内手段を備えることにより、フィルタの定期的な清掃を促すことにより、フィルタ目詰まりを原因とするフィルタサイン警報発報の未然防止を可能とするショーケースの制御装置を提供する。    【解決手段】  ショーケース１００の制御装置１１０は、表示出力部１１１，運転制御部１１２，警報出力判定部１１３，通信部１１４とを備えている。警報出力判定部１１３は、定期清掃案内警報出力手段１１３ａを備えており、周期設定として曜日又は積算時間（日数）の設定に基づき定期清掃案内警報信号を警報装置に出力する。警報装置は、定期清掃案内警報又は他の警報の出力信号に応じて、警報音の発報や警報表示等を行う。【選択図】      図１
2006090680.tif 000002
【特許請求の範囲】
【請求項１】
圧縮機，凝縮器，送風機等からなる冷凍機ユニットをショーケース下部の架台内に備える冷凍機内蔵型ショーケースの制御装置として、前記冷凍機ユニットに備えられたフィルタサインセンサからの出力信号に基づきフィルタサイン警報出力判定を行う警報出力判定手段を備えた制御装置において、
前記警報出力判定手段は、ショーケースの運転積算時間を計測し、予め設定された積算時間経過後の指定時刻に、警報出力手段に対し、前記フィルタサイン警報とは異なる警報発報を行うための定期清掃案内警報信号を出力する定期清掃案内警報手段を備えることを特徴とする冷凍機内蔵型ショーケースの制御装置。
【請求項２】
前記定期清掃案内警報手段は、定期清掃案内警報を出力する曜日の設定を可能とし、前記積算時間設定又は前記曜日設定のいずれかを任意に選択可能としたことを特徴とする請求項１に記載の冷凍機内蔵型ショーケースの制御装置。
【発明の詳細な説明】
【技術分野】
【０００１】
本発明は、ショーケースの制御装置に関し、特に、冷凍機内蔵型ショーケースにおける適切なメンテナンス警報の発報を可能とした制御装置に関する。
【背景技術】
【０００２】
従来より、コンビニエンスストアやスーパーマーケット等の店舗内において、冷凍冷蔵商品の陳列のために冷凍機内蔵型ショーケースが一般に用いられている。
一般に、冷凍機内蔵型ショーケースでは、圧縮機，凝縮器，送風機（ここでは凝縮器の熱交換の為のエアフローを強制的に行う送風機を指す。）等から成る冷凍機ユニットと、当該冷凍機ユニットの運転制御を行うための制御装置が、商品陳列室下部の架台内に設置されている。
前記架台前面には、前記凝縮器で熱交換される外気を取り入れるための通気孔をあけたキックプレートが取付けられ、前記凝縮器と通気孔との間には、凝縮器用のフィルタが配設されている。
【０００３】
このようなショーケースにおいては、従来より、凝縮器用のフィルタの目詰まりが生じることによる冷却不良が起こり易いという問題があり、制御装置によるフィルタ管理が行われていた。
フィルタ管理を行う従来の制御装置としては、例えば、フィルタサインセンサを接続する端子を備え、フィルタサインセンサの検出温度が設定値を超えた状態が一定時間以上継続した場合に、フィルタサイン警報を発報する手段を備えた構成が公知となっている（例えば、特許文献１参照。）。
【特許文献１】特開２００３−１３０５３６号公報
【０００４】
前記特許文献１に記載の構成では、警報発報の基準値として予め複数の温度を記憶させておき、使用冷媒に対応した基準値の選択を可能とすることにより、ショーケースの使用条件等に応じた適切なフィルタサイン警報の発報を可能としている。
【発明の開示】
【発明が解決しようとする課題】
【０００５】
以上のようなショーケースを設置している店舗、特に、コンビニエンスストア等の店舗においては、限られた店舗スペース内で多数の購買客等が行き来するため、埃，ゴミ等が多く発生し、フィルタの目詰まりが頻繁に生じることとなっていた。
このような場合、前記特許文献１に記載の制御装置では、所定の基準値とフィルタサインセンサの検出値との比較結果に応じて警報を出力することとしているが、警報が発報された時点では既に冷凍機ユニットに問題が生じていることとなるため、庫内温度の上昇による商品陳列室内の商品の品質劣化等の問題が生じる可能性があった。
また、フィルタサイン警報の発報は必ずしもフィルタの目詰まりのみが原因では無いため、フィルタの目詰まりによるものか否かは店舗の従業員では判断できず、一般的にはメンテナンス業者による作業を必要としていた。従って、メンテナンス業者による作業が行われるまでの間に冷凍機の強制停止制御が行われることがあり、商品の品質劣化の問題が生じることとなっていた。
このため、コンビニエンスストア等の店舗では、事前策として、従業員による定期的なフィルタ清掃が行われることとなっているが、必ずしも適切なタイミングで清掃が行われているとは限らず、未だフィルタの目詰まりを原因とする警報発報が多くなっていた。
【０００６】
本発明は、前記課題を解決するためのものであり、フィルタ管理機能を有するショーケースの制御装置において、フィルタサインセンサによるフィルタ管理を行うとともに、定期清掃案内を行ってフィルタの定期的な清掃を促すことにより、フィルタの目詰まりを原因とするフィルタサイン警報発報の未然防止を可能とするショーケースの制御装置を提供することを目的とする。
【課題を解決するための手段】
【０００７】
上記の課題を解決するため本発明に係るショーケースの制御装置は、圧縮機，凝縮器，送風機等からなる冷凍機ユニットをショーケース下部の架台内に備える冷凍機内蔵型ショーケースの制御装置として、前記冷凍機ユニットに備えられたフィルタサインセンサからの出力信号に基づきフィルタサイン警報出力判定を行う警報出力判定手段を備えた制御装置において、前記警報出力判定手段は、ショーケースの運転積算時間を計測し、予め設定された積算時間経過後の指定時刻に、警報出力手段に対し、前記フィルタサイン警報とは異なる警報発報を行うための定期清掃案内警報信号を出力する定期清掃案内警報手段を備えることを特徴とする。
また、前記定期清掃案内警報手段は、定期清掃案内警報を出力する曜日の設定を可能とし、前記積算時間設定又は前記曜日設定のいずれかを任意に選択可能としたことを特徴とする。
【発明の効果】
【０００８】
以上の構成により、本発明に係るショーケースの制御装置では、以下のような効果を奏する。
（１）フィルタの目詰まりに基づくフィルタサイン警報の他に、定期清掃案内として、ユーザにより指定された運転積算時間に応じて、定期的に清掃案内警報を行うこととしたので、各店舗の従業員に対し適切なタイミングで、定期的なフィルタ清掃を促すことが可能となる。この場合、定期清掃案内警報を発報する時刻を指定可能としたので、購買客が少ない時間帯等、各店舗において清掃に適した時刻での清掃案内警報の発報が可能となる。また、定期清掃案内と、フィルタサイン警報とで、異なる警報の発報を行うこととしたので、両者を容易に区別させることが可能となる。
（２）また、定期清掃案内のタイミングとして、ショーケースの運転積算時間の他に曜日の設定を可能としたので、各店舗の業務パターンに応じた定期清掃案内を行うことが可能となる。
【発明を実施するための最良の形態】
【０００９】
以下、本発明の一実施の形態について、図面に基づき説明する。
図１は本発明の一実施の形態に係るショーケースの制御装置の概略構成を示すブロック図であり、図２は本発明の制御装置に設けられた操作パネルの一例を示す図である。
本実施の形態に係るショーケース１００の制御装置１１０は、表示出力部１１１，運転制御部１１２，警報出力判定部１１３，通信部１１４とを備えており、ショーケース１００を構成する商品陳列部１２０及び冷凍機ユニット１３０との間で、運転制御情報，センサからの検知情報等のやり取りを行う。
表示出力部１１１は、商品陳列部１２０に備えられた庫内温度センサ，吹出温度センサ，吸込温度センサ等の各温度センサから得た温度情報等を出力して、表示器等によりデジタル表示する。運転制御部１１２は、ショーケースの運転に関する各種制御（同期制御，温調制御，デフロスト制御等）を行う。警報出力判定部１１３は、逆相警報，フィルタサイン，ドレンサイン，温度警報等の各検知手段から取得した情報と所定の基準値との比較結果等に基づき、警報出力を行うか否かを判定する。警報出力判定部１１３から警報出力がなされた場合には、警報装置により警報音の発報や警報表示等が行われる。
本実施の形態では、警報出力判定部１１３に、予め設定されたタイミングで定期清掃案内警報出力を行う定期清掃案内警報出力手段１１３ａが備えられている。
さらに、通信部１１４は、店内の複数のショーケース１００を管理する集中管理装置（センサムモニタ）１４０の通信部１４１との間で制御情報の送受信を行う。集中管理装置１４０では、運転制御部１４２，温度表示出力部１４３，警報表示出力部１４４を備えており、店内の各ショーケース１００の制御装置１１０との間で、制御情報をやり取りし、ショーケース１００の運転状態等の集中管理・制御を行う。
【００１０】
図２は、制御装置に設けられた操作パネルの一例を示す正面図である。
操作パネル２００には、運転／停止スイッチ２０１，警報ブザー停止スイッチ２０２，デジタル表示部２０３，運転ランプ２０４，点検ボタン２０５，設定ボタン２０６，設定値変更ボタン２０７，２０８が設けられている。
運転／停止スイッチ２０１は、運転停止を行う際には、誤操作によって停止させてしまうことがないように、長押しによって運転を停止できるように考慮されている。また、警報ブザー停止スイッチ２０２は、長押しにより警報に対応する動作（例えば、強制霜取等）を行うよう設定されている。
デジタル表示部２０３は、７セグメント方式であって、温度表示のための数字の他、簡単な英字，記号等が表示可能である。通常運転中は温度表示を行うが、例えば、デフロスト時には「ＤＦ」，温度警報の場合には「ＡＬ１」の点滅，逆相や満水の警報の場合には「ＡＬ２」の点滅，フィルタサイン警報の場合には「ＡＬＦ」の点滅，フィルタ定期清掃案内の場合には「ＦＬ１」の点滅といった表示を行い、運転状態の確認や警報内容の確認を可能としている。
【００１１】
本実施の形態では、定期清掃案内警報出力手段１１３ａにより、所定のタイミングで定期的に警報出力を行うこととなる。
定期清掃案内警報信号を出力する周期として、本例では、定期清掃案内警報を発報する曜日の指定又は積算時間（日数）の指定を可能としている。具体的には、「００」〜「２８」の間で任意の数値を設定するものとする。この場合、「００」は定期警報無効を、「０１」〜「０７」は月曜日〜日曜日の曜日設定を、「０８」〜「２８」は積算時間（日数）設定を示している。また、定期清掃案内警報を発報する時刻の指定を可能としている。
曜日設定がされた場合には、指定された曜日の指定時刻に清掃案内としての警報出力を行う。一方、周期設定がされた場合には、指定された積算時間（日数）を経過した日の指定時刻に清掃案内としての警報出力を行う。
【００１２】
図３は、本実施の形態に係る制御装置１１０の警報出力判定部１１３の行う警報出力判定処理手順を示すフローチャートである。
まず、ショーケース１００の運転が開始されると（ステップ３０１）、制御装置１１０の警報検知出力判定部１１３はタイマカウントを開始する（ステップ３０２）。
タイマカウント開始後、定期清掃案内設定が有効であるか（設定が「００」以外であるか）否かを判定し、定期清掃案内設定が有効である場合には（ステップ３０３）、周期設定が曜日設定（「０１」〜「０７」）であるか否かを判定する（ステップ３０４）。
周期設定が曜日の場合には、タイマの曜日が設定曜日で、かつ、タイマの時刻が指定時刻であるか否かを判定し（ステップ３０５）、条件を満たす場合には、定期清掃案内警報を出力し（ステップ３０６）、警報装置による警報音の発報等を行う。
一方、周期設定が日数設定（「０８」〜「２８」）の場合（ステップ３０４でＮｏの場合）には、タイマの日時が、起算日から設定日数経過後で、かつ、タイマの時刻が指定時刻であるか否かを判定し、条件を満たす場合には、定期清掃案内警報を出力する（ステップ３０８）。ここで、起算日とは、例えば、設定確定日を示す。
また、定期清掃案内設定が無効の場合（ステップ３０３）、または、各設定における警報出力条件を満たさない場合（ステップ３０５，３０７）には、定期清掃案内警報出力を行わない。
また、各種センサ等からの情報に基づき、フィルタサイン警報，ドレンサイン警報，逆相警報，温度警報の各警報出力判定を行い（ステップ３０９〜３１３）、警報出力条件を満たす場合には、各種警報出力を行い（ステップ３１４）、警報装置による警報音の発報等を行う。
なお、温度警報については、初回遅延時間の設定がされており、運転開始から一定時間内は警報出力を行わないこととしている（ステップ３１３）。これにより、運転開始直後の高温状態により誤警報出力がされることを防止している。
以上の処理の結果、警報出力がされているか否かを判定し（ステップ３１５）、警報出力がされている場合にはリセット受付処理を行い（ステップ３１６）、警報出力がされていない場合にはそのままタイマカウントを継続して（ステップ３０２）、以降の処理を繰返す。
以上の処理に基づく警報発報としては、例えば、制御装置１１０に接続された警報用ブザーからフィルタ定期清掃案内に対応した警報音を出力するとともに、デジタル表示部２０３にフィルタ定期清掃案内に対応したデジタル表示を行う。この場合、警報音の発報及びデジタル表示は、定期清掃案内と他の警報とで異なるものとする。例えば、定期清掃案内の場合には、ブザーを間欠音とし、デジタル表示を「ＦＬ」とする。一方、フィルタサイン警報等の場合には、ブザーを連続音とし、デジタル表示を「ＡＬ（警報を示す表示）−Ｆ」等とする。
この警報は、警報リセット操作を受付けるまで連続あるいは断続して行い、警報リセット操作を受付けることにより、警報を停止する。ここで、警報リセット操作は、警報ブザー停止スイッチ２０２により行われる。例えば、１回目のスイッチ操作では、警報音の発報のみを停止して、デジタル表示部２０３における警報表示はそのまま継続し、２回目のスイッチ操作により警報表示の停止を行うものとする。
なお、リセット受付処理（ステップ３１６）において、リセットスイッチの操作がされたときに、外部スピーカから「フィルタの定期清掃を行って下さい。」「フィルタサイン警報が発生しています。」等の音声メッセージを出力することとしてもよい。
以上の処理により、定期清掃案内警報出力及び他の警報出力制御を行うことができ、曜日設定や運転積算時間設定に基づくフィルタ管理を行うことが可能となる。
【００１３】
以上のように、本実施の形態に係るショーケース１００の制御装置１１０では、フィルタの目詰まりに基づくフィルタサイン警報の他に、定期清掃案内として、ユーザにより指定された曜日又は日数に応じて、定期的に清掃案内警報を行うこととしたので、各店舗の従業員に対し定期的なフィルタ清掃を促すことが可能となる。この場合、ショーケースの運転積算時間に基づく定期清掃案内警報を発報することとしたので、より適切なタイミングでのフィルタ清掃案内を行うことが可能となる。また、定期清掃案内警報を発報する時刻を指定可能としたので、購買客が少ない時間帯等、各店舗において清掃に適した時刻での清掃案内警報の発報が可能となる。
また、定期清掃案内として警報ブザーによる警報音の発報や警報表示等を行うこととしたので、既存の装置を利用することが可能となる。また、定期清掃案内と、他の警報とで、異なる警報音の発報を行うこととしたので、両者を容易に区別させることが可能となる。さらに、警報リセット操作がされた場合に、警報内容を音声出力することとにより、定期清掃案内か他の警報かを、より容易に区別させることが可能となる。
【００１４】
なお、前記実施の形態では、制御装置により警報発報を行うこととしているが、この場合、制御装置から集中管理装置に対し定期清掃案内警報信号を送信することにより、集中管理装置においても警報発報を行うこととしてもよい。これにより、管理者等に対しても、定期清掃のタイミングを容易に確認させることが可能となる。
また、警報発報装置は、制御装置に備えることとしてもよく、また、別装置として設けることとしてもよい。
また、周期設定としては、日数による指定だけでなく、時間単位での指定を可能としてもよい。
【図面の簡単な説明】
【００１５】
【図１】本発明の一実施の形態に係る制御装置を備えたショーケースの概略構成を示すブロック図である。
【図２】本発明の一実施の形態に係る制御装置に設けられた操作パネルの一例を示す図である。
【図３】本発明の一実施の形態に係る制御装置の行う定期清掃案内警報出力処理手順を示すフローチャートである。
【符号の説明】
【００１６】
１００  ショーケース
１１０  制御装置
１１１  表示出力部
１１２  運転制御部
１１３  警報出力判定部
１１４  通信部
１２０  商品陳列部
１３０  冷凍機ユニット
１４０  集中管理装置
１４１  通信部
１４２  運転制御部
１４３  温度表示部
１４４  警報表示部
【図１】
2006090680.tif 000003
【図２】
2006090680.tif 000004
【図３】
2006090680.tif 000005